(57)【要約】      （修正有）【課題】農作業時に薬剤散布機などを背中に簡単に担げて楽に立ち上がれる垂直上下式担ぎ台を提供する。【解決手段】担ぐ物を載せる荷台８は、下部の２段のプレート及び荷台の４隅に設けた支柱をガイドとして地面近くの低い位置から、背中に担ぐ位置までを垂直に上下が出来るようにし、更にそれぞれの位置で固定出来るようにして、地面近くの低い位置に下がった荷台に置いた散布機２０に肥料などを地面から入れられるようにする。更に、荷台の両脇に付けた手持ち部を両手で掴み、散布機などが載ったままの荷台を担ぐ位置まで両手で垂直に持ち上げて固定出来るようにする。この状態で１升ビン入れケース１９などを台にして腰掛けて、散布機などを簡単に担げて楽に立ち上がれるようになった。しかも、担ぐ高さに固定した位置は、簡単に解除出来るようにしたので、荷台の持ち下げが簡単に出来る。【選択図】図３
0003168933.tif 000002
【実用新案登録請求の範囲】
【請求項１】
４隅に立てられた支柱により固定され２段になっているプレートの、最下段のプレートの前側には足踏み部が取付けてあり、２段目のプレートの上側に、４隅に設けた穴を前記支柱に差し込んでその支柱をガイドとして上下が出来る荷台を設け、その荷台の両脇前側には両手で掴む掴み部を設け、又荷台の両脇後側に設けた支点を基点にして揺動するフック型レバーを取付け、荷台を持ち上げた際に、そのレバーのフックを両脇後側支柱の上部に設けた突起物に引っ掛けて荷台を固定出来るようにし、その固定状態より更に荷台を持ち上げた際に、フック型レバーに付いている支点を基点に揺動する補助レバーがフック型レバーのフック部を塞ぎ、フックが前記突起物に引っ掛からないようにして荷台を下げることが出来ることを特徴とする垂直上下式担ぎ台。
【請求項２】
外周に切溝が刻まれているラックホイールにプーリーを一体で取付け、そのプーリーと同じ軸を中心にして揺動する足踏みレバーを設け、その足踏みレバーに設けた支点に揺動出来る作用爪を取付けてラックホイールの外周切溝に係合させ、足踏みレバーを下側に踏み下げた際に踏み下げた分だけ、作用爪に係合したラックホイールと一体になっているプーリーを回転させることが出来るユニットを前記最下段のプレートに取付け、又前記後側右支柱の上部に取付けた軸に小型プーリーを設け、この小型プーリーを介して前記荷台の後側とプーリーとをロープで繋ぎ、足踏みレバーを繰り返し踏み下げ上げることでプーリーを回転させ、荷台を引き上げることが出来るようにし、更に前記ユニットの側面板には、ラックホイールの外周切溝に係合する逆転防止爪を設け、又、外周の２ヶ所に外周凸部及び側面に側面溝があり、その側面溝にラックホイールの側面に取付た側面ピンを入れた、ラックホイールと同軸で回転出来る休止ホイールを設け、荷台を最も上げた時に、側面溝の片端に側面ピンを突合せ、作用爪及び逆転防止爪が休止ホイールの外周凸部に載るように合せることで、荷台を降下させるとロープに引かれラックホイールが逆転し、側面ピンが側面溝の他方の片端に突き当り休止ホイールも逆転し、荷台が最下部に来た時に休止ホイールの外周凸部が作用爪と逆転防止爪から離れ、足踏みレバーを踏み下げることでラックホイールは正転が出来、ロープを介して荷台を引き上げることが出来るようにしたことを特徴とする請求項１の垂直上下式担ぎ台。
【請求項３】
荷台と２段のプレートは、各々両側の内側を前後方向に切断して支点軸で繋ぎ、更に各々の中央部を前後方向に切断して右と左に分割し支点軸で繋げ、前記中央部の支点軸を上方向に持ち上げ、前記両側の支点軸を基点に中央に寄せるようにして折りたたむことが出来ることを特徴とする請求項１の垂直上下式担ぎ台。
【考案の詳細な説明】
【技術分野】
【０００１】  この考案は、農作業などで背負型散布機や荷物などを背中に担いで立ち上がる際に用いる担ぎ台の形状に関する。
【背景技術】
【０００２】  農作業などで背負散布機や荷物などを背中に担いで立ち上がることは大変なことで平地からでは担いで立ち上がることが困難なために、従来までは殆どの作業者は軽トラの荷台に散布機や荷物などを置いて、軽トラ荷台を担ぎ台の代わりにして担いでいる。しかし、軽トラ荷台の高さが高過ぎて担ぐ状態が中腰で中途半端のために担ぎにくく、立ち上がりにくく大変難儀をして担いでいる。合せて、軽トラ荷台に置いた散布機の高さが高いために、地面からでは散布する肥料などを散布機の中に入れることが出来ず、作業者は一度軽トラ荷台に上がり、肥料などを入れてから再び地面に降りて散布機などを担いで立ち上がっている。この為、軽トラ荷台が高いので地面からの昇り降りが大変で作業効率も悪く、しかも、軽トラ荷台から降りる際に足をねんざする心配もあり大変な作業をしている。又、別の担ぎ方法として、ビールビン入れケースなど既存の台を地面に置き担ぎ台として使用している人もいるが、それらの台は一平面の為に、その台に散布機を置いた状態では、腰掛けた尻の位置と背中の高さが違うために散布機が背中にフィットせず、担ぎにくく立ち上がりにくく大変である。合せて、その台の上に散布機を置いた状態では高過ぎて散布機の中には肥料などが入れられないので、散布機を地面に置いて肥料などを入れてから散布機を再びその台の上まで持上げて、そこに置いてから担いでおり、肥料などを一杯に入れると重く、持ち上げるには大変な労力を要し、回数が多くなるとそれは大変な作業となっている。
【考案の開示】
【考案が解決しようとする課題】
【０００３】  しかしながら以上の技術によれば、いずれも背中に担ぎにくく立ち上がりにくく、また、散布機などに肥料などを入れるのに大変難儀をしている状態である。また、軽トラ荷台への昇降は特に高齢者は回数が多くなると大変で、足をくじく心配も大きくなる。そこでこの考案は、従来使用していた軽トラ荷台やビールビン入れケースなどを使わずに、背負散布機や荷物などを背中に簡単に担げて楽に立ち上がることが出来て、しかも、散布機などに肥料などを入れる作業が簡単で楽に効率よく出来る担ぎ台を提供することを課題とし、合せて、その担ぎ台は持ち運びや収納が楽に出来ることを課題とする。
【課題を解決するための手段】
【０００４】  以上の課題を解決するために、本考案の垂直持ち上げ下げ式担ぎ台の第一考案は、担ぐ物を載せる荷台を、下部の２段のプレート及び荷台の４隅に設けた支柱をガイドとして地面近くの高さから、背中に担ぐ高さまで垂直に上下が出来るようにして、更にそれぞれの位置で固定出来るようにして、地面近くの低い位置に下げた荷台に置いた散布機に肥料などをその下がった位置で入れられるようにし、更に、荷台の両脇に付けた手持ち部を両手で掴み、散布機などが載ったままの荷台を担ぐ高さまで両手で垂直に持ち上げて固定し、この状態で１升ビン入れケースなどを台にして腰掛けて、散布機などを簡単に担げて楽に立ち上がれるようにする。更に、担ぐ高さに固定した位置は、簡単に解除することが出来るようにして、荷台の持ち下げが簡単に出来るようにする。また第二考案は、足の踏み上げ下げによってレバーを上下揺動させることでプーリーを回転させ、このプーリーと荷台をロープでつなぎ、荷台を引き上げることが出来るようにして、荷台を両手で垂直に持ち上げる際に、足の踏下げ力も同時に併用して荷台を楽に持ち上げることが出来るようにする。合せて、この足の踏み上げ下げの力だけでジャッキ代わりとして荷台を担ぐ高さまで引き上げられるようにする。また第三考案は、荷台と２段のプレートは、それぞれに設けた２つの支点を基点にして中央部を上方向に持ち上げ、中央に寄せるように折りたたみが出来るようにして、持ち運びや収納が簡単で楽に出来るようにする。
【考案の効果】
【０００５】  第一考案によれば、担ぐ物を載せる荷台は、下部の２段のプレート及び荷台の４隅に設けた支柱をガイドとして地面近くの低い位置から、背中に担ぐ位置までを垂直に上下が出来るようにし、更にそれぞれの位置で固定出来るようにして、地面近くの低い位置に下がった荷台に置いた散布機に肥料などを地面から入れられるようにし、更に、荷台の両脇に付けた手持ち部を両手で掴み、散布機などが載ったままの荷台を担ぐ位置まで両手で垂直に持ち上げて固定出来るようにしたので、この状態で１升ビン入れケースなどを台にして腰掛けて、散布機などを簡単に担げて楽に立ち上がれるようになった。しかも、担ぐ高さに固定した位置は、簡単に解除することが出来るようにしたので、荷台の持ち下げが簡単に出来るようになった。第二考案によれば、足の踏み上げ下げによってレバーを上下揺動させてプーリーを回転させ、このプーリーと荷台をロープでつなぎ、荷台を引き上げることが出来るようにしたので、荷台を両手で垂直に持ち上げる際に、足の踏下げ力も同時に併用して荷台を楽に持ち上げることが出来るようになったし、又、荷台を足の踏み下げ力だけで、それをジャッキ代わりとして担ぐ高さまで引き上げることも出来るようになった。第三考案によれば、荷台と２段のプレートは、それぞれに設けた２つの支点を基点にして中央部を上方向に持ち上げ、中央に寄せるように折りたたみが出来るようにしたので持ち運びや収納が簡単で楽に出来るようになった。
【考案を実施するための最良の形態】
【０００６】  この考案の実施形態を図面に基づき説明する。
図１は本考案の実施形態を表した斜視図で、２段になっているプレートと一体に４隅に支柱４、５、６、７を取付け、最下段のプレート１の前側には足踏み部２が付いており、２段目のプレート３の上側には、４隅の前記支柱をガイドとして上下が出来、両脇前側に掴み部９が付いている荷台８があり、その荷台８の両脇後側に一体で設けた支点１２を基点に揺動するフック１４が付ているフック型レバー１１を取付け、フック１４を支柱６及び７の上部に付けた突起物１０に引掛けて固定出来るようになっている。  フック型レバー１１に設けた支点１６を基点に揺動出来る補助レバー１５を取付け、荷台８を図１の状態より更に上側に持上げ、下げる時に塞ぎ作用部１７が突起物１０と接触してフック１４を塞いで、突起物１０に引っかからずに荷台８を下げることが出来るようになっている。
図２は本考案の実施形態を表した側面図であり、フック型レバー１１が突起物１０から外れ、荷台８が２段目のプレート３に当たるまで下部に下がった状態を示している。図３は本考案の垂直上下式担ぎ台を使い、背負散布機を担いでいる状態図であり、突起物１０にフック型レバー１１のフック１４が引掛り、荷台８に散布機２０が載って担ぐ位置で固定され、作業者１８が１升ビン入れケース１９に腰掛けて担ぐ状態を示している。  図４は本考案の実施形態の荷台を表した平面図である。
【実施形態の効果】
【０００７】  この実施形態によれば、本担ぎ台は、荷台が４隅に設けた支柱をガイドとして地面近くの低い位置から、背中に担ぐ位置まで垂直に上下が出来、更にそれぞれの位置で固定出来るようになったので、地面近くの低い位置に下がった荷台に置いた散布機などに肥料などを地面から直接入れられるようになり、荷台の両脇に付けた手持ち部を両手で掴み、散布機などが載ったままの荷台を担ぐ位置まで両手で垂直に持ち上げて固定が出来、１升ビン入れケースなどの台に腰掛けて散布機などを簡単に担げて楽に立ち上がれるようになった。更に、担ぐ高さに固定した位置は、簡単に解除することが出来るようにして、荷台の地面近くの低い位置への持ち下げが簡単に出来るようになった。
【他の実施形態】
【０００８】  図５は本考案の他の実施形態を表したプーリーユニットの透視図であり、最下段プレート１にプーリー軸２２が一体となっている側面板２１を取付け、プーリー軸２２には、側面ピン３４が付き、外周切溝３３が刻まれているラックホイール３２と一体になっているプーリー３１及び攴点２５にスプリング２６により揺動出来る作用爪２４が設けてある足踏みレバー２３及び外周に２ヶ所の凸部３６及び側面溝３７が設けてある休止ホイール３５が各々組込まれている。側面板２１には、支点２８にスプリング２９により揺動出来る逆転防止爪２７及び軸３９で回転出来る中プーリー３８が取付いている。スプリング３０で上側に引かれている足踏みレバー２３を踏下げることで、外周切溝３３に係合している作用爪２４でラックホイール３２を回すことでプーリー３１を回してロープ４０を引下げ、中プーリー３８を介し、ロープ４０で繋げた前記荷台８を持上げることが出来る。又、荷台８を図１の担ぎ位置より更に上に少し持上げることでプーリー３１を回し、ラックホイール３２に付いている側面ピン３４が、側面溝３７の片端に突当たり、休止ホイール３５が回って外周凸部３６が作用爪２４、２７にそれぞれ乗り上げ、ラックホイール３２及びプーリー３１が逆転（時計方向）出来るので、荷台８を下に下げることが出来る。図６は本考案の他の実施形態を表したプーリーユニットの断面側面図であり、側面板２１に取付けられたプーリー軸２２に、ラックホイール３２が一体となっているプーリー３１、休止ホイール３５、足踏みレバー２３が組み込まれている。図７は本考案の他の実施形態で、荷台が最も下がった状態でのプーリーと荷台がロープで繋がっている連結側面図である。荷台８の後部に繋げたロープ４０を、後右支柱６の上部にある軸５０を軸として回る小型プーリー４１と中プーリー３８を介して、プーリー３１に繋げた図である。足踏みレバー２３を繰り返し踏下げることでプーリー３１を反時計方向に回して、荷台８を引き上げることが出来る。図８は本考案の他の実施形態で、荷台と２段のプレートを折りたたむことが出来ることを表した斜視図であり、荷台８及び２段のプレート１及び３は、両脇部の支点４４と４６及び中央部の支点４５で分割し、シャフト４３を介して連結して、各々折り曲げれるようにして、中央部の支点軸４８を上方向に持ち上げ、支点軸４４及び４６を中央に寄せるように折りたたむことが出来る。
【図面の簡単な説明】
【０００９】
【図１】本考案の実施形態を表した斜視図である。［符号の説明］［００１０］  １  最下段プレート  ２  足踏み部  ３  ２段目プレート  ４  前側右支柱  ５  前側左支柱  ６  後側右支柱  ７  後左支柱  ８  荷台  ９  掴み部  １０  突起物  １１  フック型レバー１２  支点  １３  バネ板  １４  フック  １５  補助レバー  １６  支点  １７  塞ぎ作用部
【図２】本考案の実施形態を表した側面図である。［符号の説明］［００１１］  ３  ２段目プレート  ８  荷台  １０  突起物  １１  フック形レバー
【図３】本考案の垂直上下式担ぎ台を使い、背負散布機を担いだ状態図である。［符号の説明］［００１２］  ８  荷台  １０  突起物  １１  フック型レバー  １４  フック  １８  作業者  １９  １升ビン入れケース  ２０  背負散布機
【図４】本考案の荷台の平面図である。
【図５】本考案の他の実施形態のプーリーユニットの透視図である。［符号の説明］［００１３］  １  最下段プレート  ２１  側面板  ２２  プーリー軸  ２３  足踏レバー  ２４  作用爪  ２５  支点  ２６  スプリング  ２７  逆転防止爪  ２８  支点  ２９  スプリング  ３０  スプリング  ３１  プーリー  ３２  ラックホイール  ３３  外周切溝  ３４  側面ピン  ３５  休止ホイール  ３６  外周凸部  ３７  側面溝  ３８  中プーリー  ３９  軸  ４０  ロープ
【図６】本考案の他の実施形態のプーリーユニットの断面側面図である。［符号の説明］［００１４］  ２１  側面板  ２２  プーリー軸  ２３  足踏レバー  ２４  作用爪  ３１  プーリー  ３２ラックホイール  ３５  休止ホイール  ４０  ロープ  ４２  プーリーユニット
【図７】本考案の他の実施形態のプーリーと荷台をロープで繋いだ側面図である。［符号の説明］［００１５］  ６  後側右支柱  ８  荷台  ２３  足踏レバー  ３１  プーリー  ３８  中プーリー  ４０  ロープ  ４１  小型プーリー  ５０  軸
【図８】本考案の他の実施形態で、荷台と２段のプレートを折りたたむことが出来ることを表した斜視図である。［符号の説明］［００１６］  １  最下段プレート  ３  ２段目プレート  ８  荷台  ４３  シャフト  ４４  支点  ４５  支点  ４６  支点  ４７  支点軸  ４８  支点軸  ４９  支点軸
【図１】
0003168933.tif 000003
【図２】
0003168933.tif 000004
【図３】
0003168933.tif 000005
【図４】
0003168933.tif 000006
【図５】
0003168933.tif 000007
【図６】
0003168933.tif 000008
【図７】
0003168933.tif 000009
【図８】
0003168933.tif 000010